(57)【特許請求の範囲】
【請求項１】
長手方向が垂直に設置される主柱と、
前記主柱の下端と三角形を構成する位置に設置される２つの支持錘と、
前記主柱の、長手方向に沿って下端から離れた箇所と、前記２つの支持錘のそれぞれとを接続する２本の支柱と、
前記主柱の下端近傍と、前記２つの支持錘のそれぞれとを接続する２本のサポートと
を備えることを特徴とする仮支持柱。
【請求項２】
前記主柱、支柱及びサポートが、長手方向に伸縮可能であり、かつ、所定の長さに固定可能である
ことを特徴とする請求項１に記載の仮支持柱。
【請求項３】
前記主柱は、
それぞれ円筒状の外管と、前記外管に挿入及び引出可能な内管とを備え、
前記外管の内壁には、長手方向に一定の間隔で、長手方向に直交する断面である円をｎ（ｎは２以上の整数）本の直径で２ｎ等分したときに、隣接する２つの部分の一方に内管支持板が設けられ、
前記内管の外壁には、長手方向に直交する断面である円をｎ本の直径で２ｎ等分したときに、隣接する２つの部分の一方に、下降防止板が設けられている
ことを特徴とする請求項２に記載の仮支持柱。
【請求項４】
前記主柱の内管に、絶縁体で構成された、高圧線支持用の継柱を備える
ことを特徴とする請求項３に記載の仮支持柱。
【請求項５】
架線物把持用のクランプを備える架線物仮把持工具を既設電柱に取り付ける工程と、
架線物を前記架線物仮把持工具に移設する工程と、
請求項１〜４のいずれか一項に記載の仮支持柱を設置する工程と、
前記仮支持柱に前記架線物仮把持工具を取り付ける工程と、
前記既設電柱から、前記架線物仮把持工具を取り外す工程と、
前記既設電柱を撤去し、新設電柱を設置する工程と、
前記新設電柱に前記架線物仮把持工具を取り付ける工程と、
前記仮支持柱から、前記架線物仮把持工具を取り外す工程と、
前記仮支持柱を撤去する工程と、
前記架線物を前記架線物仮把持工具から、前記新設電柱に移設する工程と、
前記新設電柱から、前記架線物仮把持工具を取り外す工程と
を備えることを特徴とする電柱建替方法。
【請求項６】
前記仮支持柱を設置する工程は、さらに、
前記既設電柱の近傍を含めた所定の２箇所にそれぞれ支持錘を設置する工程と、
主柱を長手方向が垂直になるように設置し、前記主柱と、２つの前記支持錘とを、それぞれ伸縮可能な２本の支柱で連結し、前記主柱と、２つの前記支持錘とを、それぞれ伸縮可能な２本のサポートで連結し、前記支柱及び前記サポートの長さを固定する工程と、
前記主柱を長手方向に伸縮させ、所定の長さで固定する工程と
を備えることを特徴とする請求項５に記載の電柱建替方法。
【発明の詳細な説明】
【技術分野】
【０００１】
この発明は、既設電柱を新設電柱に建て替える際に用いて好適な仮支持柱、及び、この仮支持柱を用いた電柱建替方法に関する。
【背景技術】
【０００２】
電柱の老朽化による建替えや、架線物の増加による長尺柱への建替えなど、新設電柱を設置する際、道路や周囲の建物などの敷地状況から、新設電柱の設置位置が、既設電柱の設置位置になる場合が多い。その場合、一旦、仮電柱を建て、架線物を仮電柱に移設した後、既設電柱の撤去、新設電柱の設置、架線物の新設電柱への移設、及び、仮電柱の撤去を順に行う方法が一般的である。
【０００３】
しかし、上下水道、ガス配管及び通信設備などの地下埋設物により、仮電柱の設置のための穴を掘ることが困難な場合が多い。また、工事期間が２〜３ヶ月程度かかることもあり、工事場所の近隣の住民などから仮電柱の設置を拒否されることも多い。
【０００４】
上記方法に代わる建替方法として、大型クレーンを用いる方法が提案されている（例えば、特許文献１参照）。この特許文献１に記載されている方法では、既設電柱に電柱建替工具を取り付けて、この電柱建替工具に架線物を移設した後、この電柱建替工具を大型クレーンで吊上げ、吊り上げている間に、既設電柱の撤去、及び、新設電柱の設置を行う。
【０００５】
また、上記方法に代わる建替方法として、井桁に組んだ支持台上に主柱を備える仮支持柱を建てる方法も提案されている（例えば、特許文献２参照）。
【先行技術文献】
【特許文献】
【０００６】
【特許文献１】特開２０１０−４１７９８号公報
【特許文献２】特開２０１４−２０４６４２号公報
【発明の概要】
【発明が解決しようとする課題】
【０００７】
上述の特許文献１に記載されている方法は、大型クレーンを使用する。このため、住宅街などの道路幅が狭い地域では、この方法を使用することはスペース的にも時間的にも難しい。
【０００８】
また、上述の特許文献２に記載されている方法では、井桁に組んだ支持台を設置するためのスペースが必要になり、また、段差のない平坦な場所でないと支持台を設置できないため、適用箇所が限定的である。また、この方法では、設置後の仮支持柱本体の位置などの調整ができないため、架線物の移設に手間を要する。
【０００９】
この発明は、上述の問題点に鑑みてなされたものであり、この発明の目的は、仮支持柱を利用して、電柱を建て替えるに当たり、平坦でない場所でも設置可能な仮支持柱と、この仮支持柱を用いた電柱建替方法を提供することにある。
【課題を解決するための手段】
【００１０】
上述した目的を達成するために、この発明の仮支持柱は、長手方向が垂直に設置される主柱と、水平面内での位置が、主柱の下端と三角形を構成する位置に設置される２つの支持錘と、主柱の、長手方向に沿って下端から離れた箇所と、２つの支持錘のそれぞれとを接続する２本の支柱と、主柱の下端近傍と、２つの支持錘のそれぞれとを接続する２本のサポートとを備えて構成される。
【００１１】
また、この発明の電柱建替方法は、以下の工程を備えて構成される。先ず、架線物把持用のクランプを備える架線物仮把持工具を既設電柱に取り付け、架線物を架線物仮把持工具に移設し、上述の仮支持柱を設置する。次に、仮支持柱に架線物仮把持工具を取り付ける。次に、既設電柱に取り付けた架線物仮把持工具を既設電柱から取り外す。次に、既設電柱を撤去し、新設電柱を設置する。次に、新設電柱に架線物仮把持工具を取り付ける。次に、仮支持柱から、架線物仮把持工具を取り外し、仮支持柱を撤去する。次に、架線物を架線物仮把持工具から新設電柱に移設する。次に、新設電柱から架線物仮把持工具を取り外す。
【発明の効果】
【００１２】
この発明の仮支持柱及びこの仮支持柱を用いた電柱建替方法によれば、仮支持柱の主柱を、２つの支持錘と、主柱と支持錘の間を連結する支柱及びサポートとで支持する。このため、段差があるなど、平坦ではない箇所でも工事を行うことができる。また、仮支持柱による専有面積も、従来の方法よりも小さくなる。
【００１３】
また、主柱、支柱及びサポートが、伸縮可能であるので、現場での組立に係る時間を短縮することができる。さらに、支柱の長さを変更することで、仮支持柱の頭部の位置を移動させることができる。
【図面の簡単な説明】
【００１４】
【図１】仮支持柱を説明するための概略図である。
【図２】仮支持柱が備える主柱を説明するための概略図である。
【図３】仮支持柱が備える支持錘を説明するための概略図である。
【図４】架線物仮把持工具を説明するための概略図である。
【図５】電柱建替方法を説明するための概略図である。
【発明を実施するための形態】
【００１５】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１６】
図１を参照して、仮支持柱について説明する。図１は、仮支持柱を説明するための概略図である。仮支持柱は、通信線や低圧線などの架線物１０１及び１０２や、高圧線１０３を把持している既設電柱１００の近傍に設けられる。
【００１７】
仮支持柱は、主柱２０、２つの支持錘３０、２本の支柱４０、及び、２本のサポート５０を備えて構成される。主柱２０は、原則として長手方向が垂直に設置される。２つの支持錘３０は、接地面において、主柱２０の下端２０ａと三角形を構成する位置に設置される。
【００１８】
２本の支柱４０は、主柱２０の、長手方向に沿って下端２０ａから離れた箇所と、２つの支持錘３０のそれぞれとを接続する。なお、２本の支柱４０は、主柱２０の長手方向に沿った位置が同じ取り付け点２０ｂに取り付けられている。また、２本の支柱４０は、取り付け点２０ｂを中心として、垂直面内及び水平面内を回動可能である。
【００１９】
２本のサポート５０は、主柱２０の下端２０ａ近傍と、２つの支持錘３０のそれぞれとを接続する。なお、主柱２０、支柱４０及びサポート５０は、長手方向に伸縮可能であり、かつ、所定の位置で長さを固定可能な構造である。
【００２０】
なお、ここでは仮支持柱が２つの支持錘３０、２本の支柱４０、及び、２本のサポート５０を備える構成を説明しているが、これに限定されない、より強度が求められる場合は、支持錘、支柱及びサポートをそれぞれ３以上設けても良い。
【００２１】
支柱４０は、いわゆるパイプサポートを用いて構成することができる。支柱４０のロックピン（図示を省略する。）を外して、腰管４２から差込管４４を引き出すことにより、支柱４０の長さを伸ばし、また、腰管４２に差込管４４を挿入することにより、支柱４０の長さを縮めることができる。所定の長さに設定した後、ナットハンドル４６を用いてその長さを固定する。なお、サポート５０についても、支柱４０と同様に構成できるので、説明を省略する。
【００２２】
また、主柱２０の内管２４（図２参照）に、絶縁体で構成された、高圧電線支持用の継柱７０を取り付けた構成にしてもよい。
【００２３】
図２を参照して主柱を説明する。図２は、仮支持柱が備える主柱を説明するための概略図である。図２（Ａ）は、主柱の概略的な斜視図である。図２（Ｂ）は、主柱を上側から見た概略図である。なお、内管と外管の区別のためにハッチングを付している。また、図２（Ｃ）及び（Ｄ）は、内管と外管の関係を示す模式図である。図２（Ｃ）及び（Ｄ）では、内管に設けられる下降防止板のみを示し、内管本体の図示を省略している。また、図２（Ｃ）及び（Ｄ）では、内管支持板及び下降防止板は外管により直接黙視することはできないが、強調のために実線で示している。なお、図２（Ｄ）は、主柱が備える外管２２と内管２４との位置関係が、図２（Ｂ）及び（Ｃ）とは、異なっている。図２（Ｅ）及び（Ｆ）は、主柱の底部近傍を示す概略図である。
【００２４】
主柱２０は、それぞれ円筒状の外管２２と内管２４とを備えて構成される。内管２４は、外管２２に挿入及び引出可能に設けられている。外管２２と内管２４は、例えば、鋼管とすることができる。
【００２５】
外管２２の内壁２２ａには、内管支持板２３が設けられている。内管支持板２３は、外管２２の長手方向について一定の間隔で設けられている。なお、図２（Ｃ）及び（Ｄ）に示す構成例では、長手方向に沿って内管支持板２３が連結されている。例えば、内管支持板２３が０．５ｍ間隔で設けられている場合、主柱２０の長さは０．５ｍ単位で設定可能となる。また、内管支持板２３は、長手方向に直交する断面である円をｎ（ｎは２以上の整数）本の直径で２ｎ等分したときに、隣接する２つの部分の一方に設けられ、他方には設けられない。例えば、図２（Ｂ）に示すように、ｎが２の場合、すなわち２本の直径で４等分した場合は、断面の中心について、０〜９０度と、１８０〜２７０度の部分内に、設けられている。
【００２６】
内管２４の外壁２４ａには、下降防止板２５が設けられている。下降防止板２５は、内管支持板２３と同様に、長手方向に直交する断面である円をｎ本の直径で２ｎ等分したときに、隣接する２つの部分の一方に設けられ、他方には設けられない。図２（Ｂ）に示す例では、断面の中心を挟んで向かい合う２つの部分内に、断面の中心について、０〜９０度と、１８０〜２７０度の部分内に設けられている。
【００２７】
図２（Ｄ）に示すように、外管２２及び内管２４の長手方向に直交する断面における、外管２２の内管支持板２３が設けられている位置と、内管２４の下降防止板２５が設けられている位置とが一致している場合は、下降防止板２５が内管支持板２３に保持される。一方、図２（Ｂ）及び（Ｃ）に示すように、上述の一致している状態から外管２２に対して内管２４が９０度回転している場合は、下降防止板２５が内管支持板２３に保持されず、内管２４は、外管２２の長手方向に沿って移動可能となる。
【００２８】
従って、断面における、外管２２の内管支持板２３が設けられている位置と、内管２４の下降防止板２５が設けられている位置とが一致している状態から、内管２４を外管２２に対して９０度回転して、一致していない状態にした上で長手方向に移動させた後、所定の位置で、内管２４を外管２２に対して−９０度回転させて、外管２２の内管支持板２３が設けられている位置と、内管２４の下降防止板２５が設けられている位置とを一致させれば、その位置で内管２４が支持される。
【００２９】
内管２４が外管２２に支持されている状態で、別途設ける固定ボルト等で完全に固定される。このようにして、主柱２０の長さが調整される。
【００３０】
図２（Ｅ）に示すように、外管２２の下端、すなわち、主柱２０の下端２０ａには、例えば、鋼板である底板（以下、底板鋼板と称する。）２６が設けられている。外管２２と底板鋼板２６とは、例えば、Ｕボルト２７で連結される。これにより、傾斜地であっても、主柱２０を垂直に設置することができる。
【００３１】
底板鋼板２６は例えば２枚で構成されている。下部の底板鋼板２６には、例えば、木製の底板（以下、木底板）２８を取り付けることができる。木底板２８は、底板鋼板２６にボルト等を用いて取り付けられる。この木底板２８を設けることにより、仮支持柱の接地面となる、アスファルト等を傷つけないようにすることができる。なお、図２（Ｆ）に示すように、下部の底板鋼板２６と木底板２８に換えて、Ｈ鋼２９を用いることもできる。Ｈ鋼２９は、上部の底板鋼板２６に任意好適な従来公知の挟締金具２１等を用いて連結することができる。Ｈ鋼２９を用いると、既設電柱を抜く際、地際崩落により主柱２０が倒壊することを防ぐことができる。
【００３２】
図３を参照して支持錘について説明する。図３（Ａ）及び（Ｂ）は、仮支持柱が備える支持錘を説明するための概略図である。
【００３３】
支持錘３０は、運搬等の都合から、複数層に分割可能に構成されるのが良い。ここでは、支持錘３０が３層の錘３２−１〜３で構成される例を説明する。
【００３４】
最下層である第１層の錘３２−１の底面には、アスファルト等を傷つけないように木製の底板３４が取り付けられている。また、第１層の錘３２−１の１対の側面には、それぞれ吊上用板３６が取り付けられている。吊上用板３６は、クレーン等で吊上げしやすいように設けられている。また、第１層の錘３２−１の上面には、雌ネジ３５が設けられている。雌ネジ３５には、貫通ボルト３７が嵌め込まれる。貫通ボルト３７には、第１層の錘３２−１に取り付けられる側とは反対側に、貫通孔を有する取付板３８が設けられる。取付板３８は、支柱４０及びサポート５０の取付け、すなわち、主柱２０との連結のために設けられる。また、貫通ボルト３７を用いることで、主柱２０や支持錘３０の位置に応じて、取付板３８の向きを変えることができる。
【００３５】
第２〜３層の錘３２−２〜３は互いに同じ形状で構成される。第２〜３層の錘３２−２〜３の１対の側面には、第１層の錘３２−１と同様に、吊上用板３６が取り付けられている。また、吊上用板３６には、重ねた時に、下層の錘の吊上用板３６と干渉しないように、切欠きが設けられている。また、第２〜３層の錘３２−２〜３には、第１層の錘３２−１の雌ネジ３５と同じ位置に、上面と底面の間を貫通する貫通孔が設けられている。また、この貫通孔に貫通ボルト３７を通すことにより、第１層の錘３２−１の上に積み上げた第２〜３層の錘３２−２〜３のずれが防止される。なお、ここでは、支持錘３０が３層の錘で構成される例を説明したが、これに限定されない。貫通ボルト３７の長さを伸ばすことで、支持錘３０を構成する錘を４以上にすることもできる。
【００３６】
このように、ここで、用いられる支持錘３０は、錘３２の数を変えることにより支持錘３０の重さを変えることができ、また、取付板３８の向きを変えることもできる。このように支持錘の重さ及び向きの自由度が高いので、様々な現場環境に対応可能である。
【００３７】
図４を参照して架線物仮把持工具について説明する。図４は、架線物仮把持工具を説明するための概略図である。
【００３８】
架線物仮把持工具６０は、１又は２本の垂直管６２と、この垂直管６２に互いに離間して取り付けられた少なくとも２本、例えば一対の水平管６４を備えて構成される。垂直管６２は、例えば、繊維強化プラスチック（ＦＲＰ：Ｆｉｂｅｒ  Ｒｅｉｎｆｏｒｃｅｄ  Ｐｌａｓｔｉｃｓ）の単管パイプを用いて構成される。また、水平管６４は、例えば、軽腕金で構成することができるが、これに限定されず、任意好適な材質及び形状で構成しても良い。垂直管６２と水平管６４とは、任意好適な従来周知のクランプ６６等を用いて連結されている。
【００３９】
垂直管６２には、架線物把持用のクランプ６７が設けられている。この架線物把持用のクランプ６７は、新設電柱で用いられる通信線や低圧線などの架線物１０１及び１０２の数に応じて、必要な数量分設けられる。水平管６４の一方の端部には、電柱取付部材６８が設けられている。この電柱取付部材６８は、例えば任意好適な従来公知のアームレスタイバンドで構成することができる。
【００４０】
図５及び図１〜４を随時参照して建替方法について説明する。図５は、電柱建替方法を説明するための概略的な工程図である。
【００４１】
先ず、既設電柱１００に架線物仮把持工具６０を取り付ける。この工程では、一対の水平管６４が既設電柱に取り付けられる。
【００４２】
次に、架線物１０１及び１０２を既設電柱１００から架線物仮把持工具６０に移設する。この工程では、架線物１０１及び１０２を、架線物仮把持工具６０の架線物把持用のクランプ６７に取り付けた後、既設電柱１００から、架線物１０１及び１０２を取り外す（図５（Ａ）参照）。
【００４３】
次に、仮支持柱を設置する。
【００４４】
この工程では、先ず、既設電柱１００の近傍を含めた、所定の２箇所に、支持錘３０を設置する。２つの支持錘３０の配置は、既設電柱１００が設けられている近傍に、工事のしやすさ等に応じて、任意好適な位置にできるが、２本のサポート５０のなす角が０度あるいは１８０度に近いと、サポート５０を軸として回動しやすくなるため、安定性に欠ける。そのため、２本のサポート５０のなす角は、９０度、あるいは、それに近い角度になるように支持錘３０を配置するのが良い。なお、より強度が求められる場合は、３以上の個所に支持錘３０を設置しても良い。
【００４５】
次に、高所作業車等を用いて、主柱２０に２本の支柱４０を束ねた状態で、吊り上げる。その後、主柱２０を設置箇所に移動する。その設置箇所において、支柱４０を束ねていたベルトを外し、支柱４０を拡げる。支柱４０のロックピンを外して、腰管４２から差込管４４を引き出すことにより、支柱４０の長さを伸ばす。支柱４０の差込管４４を支持錘３０の取付板３８にボルト等を用いて固定する。その後、ナットハンドル４６を用いて、支柱４０の長さを固定する。
【００４６】
このとき、支柱４０とともに、サポート５０も支持錘３０の取付板３８にボルト等を用いて固定する（図５（Ｂ）参照）。
【００４７】
仮支持柱を設置する工程の次に、仮支持柱に架線を移設する。この工程では、先ず、主柱２０の内管２４に、継柱７０（図１参照）を差し込む。継柱７０は例えばＦＲＰで構成される。継柱７０は、高圧線用のアームを取り付け可能な構造となっており、内管２４を引き上げる前に高圧線用のアームを取り付ける。次に、高所作業車等を用いて内管２４を引き上げ、継柱７０の頭部が、高圧線１０３を把持できる高さになるように主柱２０の長さを調整して、その長さで固定する。その後、レバーブロック（登録商標）等を用いてアームを持ち上げて高圧線１０３を把持する。
【００４８】
次に、架線物仮把持工具６０に、既設電柱１００に取り付けられている一対の水平管６４とは別の対の水平管６４を取り付け、この別の対の水平管６４を仮支持柱に取り付ける（図５（Ｃ）参照）。その後、既設電柱１００に取り付けられている一対の水平管６４を取り外す。
【００４９】
次に、既設電柱１００を撤去し（図５（Ｄ）参照）、新設電柱１１０を設置する。この工程は、任意好適な従来周知の方法で行われる。
【００５０】
次に、架線物仮把持工具６０に、一対の水平管６４を取り付け、この一対の水平管６４を新設電柱１１０に取り付ける（図５（Ｅ）参照）。
【００５１】
その後、高圧線１０３を継柱７０の高圧線用のアームから、新設電柱１１０に移設する。移設に際し、新設電柱１１０での高圧線１０３の把持位置が、既設電柱１００より高い場合は、継柱７０の高圧線用のアームを昇降させて高さ調整することも可能である。次に、架線物仮把持工具６０を仮支持柱から取り外し、仮支持柱を撤去する。
【００５２】
その後、通信線や低圧線などの架線物１０１及び１０２を、架線物仮把持工具６０から新設電柱１１０に移設する。この架線物の移設は、既設電柱１００から架線物仮把持工具６０に移設する工程と同様に行われる。新設電柱１１０への架線の移設が完了した後、架線物仮把持工具６０を新設電柱１１０から取り外し、工事を完了する。
【００５３】
この方法によれば、仮支持柱の主柱を、２つの支持錘と、主柱と支持錘の間を連結する支柱及びサポートで支持する。このため、段差があるなど、平坦ではない箇所でも工事を行うことができる。また、仮支持柱による専有面積も、従来の方法よりも小さくなる。さらに、支柱の長さを変更することで、仮支持柱の頭部の位置を移動させることができる。
【００５４】
また、主柱、支柱及びサポートが、伸縮可能であるので、現場での組立に係る時間を短縮することができる。
【００５５】
なお、電柱建替方法の工程順については、上述の例に限定されない。例えば、既設電柱１００に架線物仮把持工具６０を取り付けた後、仮支持柱を設置しても良いし、順序を入れ換えて、仮支持柱を設置した後に、既設電柱１００に架線物仮把持工具６０を取り付けても良い。
【００５６】
また、架線物仮把持工具６０及び仮支持柱の撤去についても同様に、仮支持柱を撤去した後に、架線物仮把持工具６０を撤去しても良いし、架線物仮把持工具６０を撤去した後に、仮支持柱を撤去しても良い。
【００５７】
この電柱建替方法は、例えば、電気工事会社が主として実施するが、架線物１０１及び１０２に通信線が含まれるなど、通信線の移設に関しては、通信工事会社が実施する場合がある。この場合、通信工事会社が、通信線を既設電柱から架線物仮把持工具に移設する工程と、通信線を架線物仮把持工具から新設電柱に移設する工程を行えば、他の工程については、電気工事会社が通信線に触れることなく行うことができる。また、架線物仮把持工具を、既設電柱又は新設電柱に取り付けておけば、通信線自体の移設は、既設電柱の撤去及び新設電柱の設置とは、別の日にこれらの作業とは独立して行うことができる。このため、異なる工事会社が作業する場合であっても、作業スケジュールの自由度を高めることができる。
【符号の説明】
【００５８】
２０    主柱
２１    挟締金具
２２    外管
２３    内管支持板
２４    内管
２５    下降防止板
２６    底板鋼板
２７    Ｕボルト
２８    木底板
２９    Ｈ鋼
３０    支持錘
３２    錘
３４    底板
３５    雌ネジ
３６    吊上用板
３７    貫通ボルト
３８    取付板
４０    支柱
４２    腰管
４４    差込管
４６    ナットハンドル
５０    サポート
６０    架線物仮把持工具
６２    垂直管
６４    水平管
６６、６７    クランプ
６８    電柱取付部材
７０    継柱
１００    既設電柱
１０１、１０２    架線物
１０３    高圧線
１１０    新設電柱
【要約】
【課題】仮支持柱を利用して、電柱を建て替えるに当たり、平坦でない場所でも設置可能な仮支持柱と、この仮支持柱を用いた建替方法を提供する。
【解決手段】長手方向が垂直に設置される主柱２０と、水平面内での位置が、主柱の下端と三角形を構成する位置に設置される２つの支持錘３０と、主柱の、長手方向に沿って下端から離れた箇所と、２つの支持錘のそれぞれとを接続する２本の支柱４０と、主柱の下端近傍と、２つの支持錘のそれぞれとを接続する２本のサポート５０とを備えて構成される。
【選択図】図１【図１】
0005970124.tif 000002
【図２】
0005970124.tif 000003
【図３】
0005970124.tif 000004
【図４】
0005970124.tif 000005
【図５】
0005970124.tif 000006